【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
入力されたビデオの画面のハッシュ値を計算する演算器と前記ハッシュ値を記憶する記憶回路とを有するハッシュ導出回路と、
前記入力されたビデオの複数画面間で前記ハッシュ値を比較することによって、画面が変化しているか、変化していないかを判断して、変化していない場合に故障として検出する故障検出回路と、
を備える
画像処理装置。
【請求項２】
請求項１において、
前記故障検出回路は、前記記憶回路のハッシュ値を読み出して複数画面間で比較することによって、画面が変化しているか、変化していないかを判断して、変化していない場合に故障として検出するＣＰＵを備える
画像処理装置。
【請求項３】
請求項２において、さらに、
ビデオ圧縮処理を行うビデオ符号化回路を備え、
前記ハッシュ導出回路は前記ビデオ符号化回路に含まれ、入力画面のハッシュ値をビデオ符号化の処理ブロック順に順次計算する
画像処理装置。
【請求項４】
請求項３において、
前記ハッシュ導出回路は、さらに、
複数の前記演算器と、
複数の前記記憶回路と、
を備え、
前記ハッシュ導出回路は入力画面の画素をビット列もしくは輝度・色差で分割して、分割したそれぞれの要素ごとに別のハッシュ値を前記複数の演算器で並列に計算し、前記ハッシュ値のそれぞれを前記複数の記憶回路に保存し、
前記ＣＰＵは前記複数の記憶回路のハッシュ値を読み出し、前記読み出したハッシュ値を用いて複数画面間で比較を行い、故障を検出する
画像処理装置。
【請求項５】
請求項３において、
前記ハッシュ導出回路は、さらに、
領域選択器と、
複数の演算器と、
複数の前記記憶回路と、
領域選択信号に基づいて前記領域選択器は複数の領域に分割した入力画面を前記複数の演算器のいずれかに入力し、
前記複数の演算器のそれぞれは、分割したそれぞれの領域ごとに別のハッシュ値を計算し、
前記複数の記憶回路は前記ハッシュ値のそれぞれを保存し、
前記ＣＰＵは前記複数の記憶回路のハッシュ値を読み出し、前記読み出したハッシュ値を用いて複数画面間で比較を行い、故障を検出する
画像処理装置。
【請求項６】
請求項３において、
前記ハッシュ導出回路は、さらに、
領域選択器と、
複数の前記記憶回路と、
前記ハッシュ導出回路は入力画面を複数の領域に分割して、分割したそれぞれの領域ごとに別のハッシュ値を前記演算器で計算し、領域選択信号に基づいて前記領域選択器は前記ハッシュ値のそれぞれを前記複数の記憶回路に保存し、
前記ＣＰＵは前記複数の記憶回路のハッシュ値を読み出し、前記読み出したハッシュ値を用いて複数画面間で比較を行い、故障を検出する
画像処理装置。
【請求項７】
請求項３において、
前記入力画面の画素データが１バイトよりも長く２バイトよりも短い場合、２バイトよりも短い部分のデータを元のデータの下位側のデータを結合して前記画素データを２バイトに拡張する
画像処理装置。
【請求項８】
請求項１において、
前記ハッシュ導出回路は前記演算器でハッシュ値を計算する前に入力画面の画素データの下位ビットをマスクする
画像処理装置。
【請求項９】
請求項２において、
前記ＣＰＵは連続する画面のハッシュ値が複数連続で一致した場合に故障として検出する
画像処理装置。
【請求項１０】
請求項２において、
前記ＣＰＵは連続する画面のハッシュ値が複数連続で一致した回数が所定数以上ある場合に故障として検出する
画像処理装置。
【請求項１１】
請求項２において、
前記ＣＰＵは過去の所定数の画面のハッシュ値を保存し、現在の画面のハッシュ値が前記過去の所定数の画面のハッシュ値のいずれかと一致した場合に故障として検出する
画像処理装置。
【請求項１２】
請求項３において、さらに、
カメラ装置からの映像信号を処理する映像信号処理回路を備え、
前記入力画面は前記映像信号処理回路で処理された画像である
画像処理装置。
【請求項１３】
請求項３において、
前記ビデオ符号化回路は、さらに、
画面予測回路と、
画面符号化回路と、
局所画面復号回路と、
エントロピー復号化回路と、
を備え、
前記入力画面は前記画面予測回路から出力されて前記画面符号化回路に入力される画面である
画像処理装置。
【請求項１４】
請求項１において、
前記記憶回路は、
現画面のハッシュ値を記憶する第一記憶回路と、
前画面のハッシュ値を記憶する第二記憶回路と、
を備え、
前記ハッシュ導出回路は、さらに、
前記第一記憶回路に記憶されているハッシュ値と前記第二記憶回路に記憶されているハッシュ値とを比較する比較器を備え、
前記故障検出回路は前記比較器であり、前記比較器が一致を検出した場合に故障として検出する
画像処理装置。
【請求項１５】
入力画面と予測画面とに基づいてデータ量圧縮した係数列を導出する画面符号化回路と、前記入力画面のハッシュ値を計算するハッシュ導出回路と、を有するビデオ符号化回路と、
前記ビデオ符号化回路を制御するＣＰＵと、
を備え、
前記ハッシュ導出回路は、
第一画素のハッシュ値を計算する第一演算器と、
第二画素のハッシュ値を計算する第二演算器と、
第三画素のハッシュ値を計算する第三演算器と、
前記第一演算器で計算されたハッシュ値を格納する第一記憶回路と、
前記第二演算器で計算されたハッシュ値を格納する第二記憶回路と、
前記第三演算器で計算されたハッシュ値を格納する第三記憶回路と、
を備え、
前記ハッシュ導出回路は入力画面の画素を第一輝度、第二輝度および色差で分割して、分割したそれぞれの要素ごとに前記第一演算器、第二演算器および第三演算器で並列に三つのハッシュ値を計算し、前記三つのハッシュ値のそれぞれを前記第一記憶回路、第二記憶回路および第三記憶回路に保存し、
前記ＣＰＵは前記第一記憶回路、第二記憶回路および第三記憶回路の三つのハッシュ値を読み出し、前記読み出したハッシュ値を用いて複数画面間で比較を行い、故障を検出する
半導体装置。
【請求項１６】
請求項１５において、
前記ビデオ符号化回路は、さらに、
入力画面と参照画面から画面内予測または画面間予測を行う画面予測回路と、
前記画面符号化回路の逆変換を行い、画面の復号を行う局所画面復号回路と、
画面符号化回路から出力される係数列から符号化ビット列を生成するエントロピー復号化回路と、
を備える
半導体装置。
【請求項１７】
請求項１５において、
前記入力画面が複数のマクロブロックに分割され、前記ビデオ符号化回路はマクロブロックごとに符号化およびハッシュの導出を行う
半導体装置。
【請求項１８】
請求項１５において、
前記入力画面の画素データは、データが１０ビット長の場合前記データの下位側６ビットのデータを上位側に結合し、データが１２ビット長の場合前記データの下位側４ビットのデータを上位側に結合することで、１６ビット長に拡張して構成される半導体装置。
【請求項１９】
請求項１５において、さらに、
カメラ装置からの映像信号を処理する映像信号処理回路と、
ネットワーク伝送回路と、
前記ＣＰＵが前記ビデオ符号化回路を制御するプログラムを格納するメモリと、
を備え、
前記映像信号処理回路から出力されるデータは前記メモリを介して前記ビデオ符号化回路に入力され、
前記ビデオ符号化回路から出力されるデータは前記メモリを介して前記ネットワーク伝送回路に入力される
半導体装置。
【請求項２０】
演算回路と記憶回路とを有する装置であって、
前記演算回路は入力されたビデオの画面のハッシュ値を計算し、
前記ハッシュ値を前記記憶回路に記憶し、
前記入力されたビデオの複数画面間で前記ハッシュ値を比較することによって、画面が変化しているか、変化していないかを判断して、変化していない場合に故障として検出する
画像処理装置。